(57)【特許請求の範囲】
【請求項１】
第１セルから第２セルへの干渉を抑圧するために前記第１セルにおいて使用規制サブフレームを設定する移動通信システムにおいて用いられる通信制御方法であって、
前記第２セルを管理する第２基地局から、前記第１セルを管理する第１基地局に対して、前記使用規制サブフレームにおいて前記第１及び第２セルから前記第２セルに接続するユーザ端末に対して協調送信を行うことを要求するための協調送信情報を送信するステップであって、前記協調送信情報は、前記第２セルから前記ユーザ端末に対して送信が予定されているデータを含む、ステップと
前記使用規制サブフレームにおいて、前記ユーザ端末に対して前記第１セル及び前記第２セルから前記協調送信を行う協調送信ステップを備え、
前記協調送信ステップにおいて、前記ユーザ端末に対して前記第１セル及び前記第２セルから前記データを送信することを特徴とする通信制御方法。
【請求項２】
前記協調送信ステップにおいて、前記第１セルは、前記使用規制サブフレームのＰＤＣＣＨ（Ｐｈｙｓｉｃａｌ  Ｄｏｗｎｌｉｎｋ  Ｃｏｎｔｒｏｌ  ＣＨａｎｎｅｌ）リソースを使用することなく、前記使用規制サブフレームのＰＤＳＣＨ（Ｐｈｙｓｉｃａｌ  Ｄｏｗｎｌｉｎｋ  Ｓｈａｒｅｄ  ＣＨａｎｎｅｌ）リソースの少なくとも一部を使用して前記協調送信を行うことを特徴とする請求項１に記載の通信制御方法。
【請求項３】
前記協調送信ステップにおいて、前記第１セルは、前記使用規制サブフレームにおいて前記第２セルのＣＲＳ（Ｃｅｌｌ  ｓｐｅｃｉｆｉｃ  Ｒｅｆｅｒｅｎｃｅ  Ｓｉｇｎａｌ）リソースに対応するＰＤＳＣＨリソースの使用を避けながら前記協調送信を行うことを特徴とする請求項２に記載の通信制御方法。
【請求項４】
前記第１基地局から、前記第２基地局に対して、前記使用規制サブフレームを示す情報を送信するステップをさらに備え、
前記協調送信ステップにおいて、前記協調送信情報を受信した前記第１基地局は、前記協調送信情報に基づいて前記協調送信を行うことを特徴とする請求項１に記載の通信制御方法。
【請求項５】
前記第２基地局が、前記使用規制サブフレームについて予め前記ユーザ端末のスケジューリングを行うステップをさらに備え、
前記協調送信情報は、前記スケジューリングにより得られるスケジューリング情報を含むことを特徴とする請求項４に記載の通信制御方法。
【請求項６】
前記スケジューリング情報は、前記使用規制サブフレームにおいて前記ユーザ端末に割り当てるリソースブロック、前記使用規制サブフレームにおいて前記ユーザ端末に適用するトランスポートフォーマットのうち、少なくとも１つであることを特徴とする請求項５に記載の通信制御方法。
【請求項７】
前記協調送信は、前記第１セル及び前記第２セルから同一のデータを同一の時間・周波数リソースかつ同一のトランスポートフォーマットで送信するＪＴ（Ｊｏｉｎｔ  Ｔｒａｎｓｍｉｓｓｉｏｎ）であることを特徴とする請求項１に記載の通信制御方法。
【請求項８】
前記協調送信ステップにおいて、前記第１セルは、前記使用規制サブフレームにおいて前記第２セルのＣＲＳリソースと同じリソースエレメントで、前記第２セルのＣＲＳと同じ系列を有するＣＲＳを送信することを特徴とする請求項１に記載の通信制御方法。
【請求項９】
第１セルから第２セルへの干渉を抑圧するために前記第１セルにおいて使用規制サブフレームを設定する移動通信システムにおいて、少なくとも前記第１セルを管理する第１基地局であって、
前記第２セルを管理する第２基地局から、前記使用規制サブフレームにおいて前記第１及び第２セルから前記第２セルに接続するユーザ端末に対して協調送信を行うことを要求するための協調送信情報を受信する受信部であって、前記協調送信情報は、前記第２セルから前記ユーザ端末に対して送信が予定されているデータを含む、受信部と
前記使用規制サブフレームにおいて、前記ユーザ端末に対して前記第２セルとの前記協調送信を行うよう前記第１セルを制御する制御部を備え、
前記制御部は、前記協調送信において、前記ユーザ端末に対して前記データを送信することを特徴とする基地局。
【発明の詳細な説明】
【技術分野】
【０００１】
本発明は、移動通信システムにおいて用いられる通信制御方法、基地局、及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）は、セル間干渉を抑圧するために、ＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ）が導入されている（例えば、非特許文献１参照）。【０００３】
このようなＩＣＩＣの一つとして、時間領域ＩＣＩＣがある。時間領域ＩＣＩＣでは、第１セル（ａｇｇｒｅｓｓｏｒ  ｃｅｌｌ）から強い下りリンク干渉を受ける第２セル（ｖｉｃｔｉｍ  ｃｅｌｌ）が存在する場合に、第１セルにおいて一部の下りリンクサブフレームを使用規制サブフレームとして設定することにより、第２セルを救済する。このような使用規制サブフレームは、ＡＢＳ（Ａｌｍｏｓｔ  Ｂｌａｎｋ  Ｓｕｂｆｒａｍｅ）と称される。【０００４】
しかしながら、上述した時間領域ＩＣＩＣには、使用規制サブフレーム（ＡＢＳ）の有効活用を図る点において、改善の余地がある。
【先行技術文献】
【特許文献】
【０００５】
【非特許文献１】３ＧＰＰ技術仕様書  「ＴＳ３６．３００  Ｖ１１．７．０」  ２０１３年９月
【発明の概要】
【０００６】
第１の特徴に係る通信制御方法は、第１セルから第２セルへの干渉を抑圧するために前記第１セルにおいて使用規制サブフレームを設定する移動通信システムにおいて用いられる。前記通信制御方法は、前記使用規制サブフレームにおいて、前記第２セルと接続するユーザ端末に対して前記第１セル及び前記第２セルから協調送信を行う協調送信ステップを備える。
【０００７】
第２の特徴に係る基地局は、第１セルから第２セルへの干渉を抑圧するために前記第１セルにおいて使用規制サブフレームを設定する移動通信システムにおいて、少なくとも前記第１セルを管理する。前記基地局は、前記使用規制サブフレームにおいて、前記第２セルと接続するユーザ端末に対して前記第２セルとの協調送信を行うよう前記第１セルを制御する制御部を備える。
【０００８】
第３の特徴に係るユーザ端末は、第１セルから第２セルへの干渉を抑圧するために前記第１セルにおいて使用規制サブフレームを設定する移動通信システムにおいて、前記第２セルと接続する。前記ユーザ端末は、前記使用規制サブフレームにおいて、前記第１セル及び前記第２セルから協調送信により送信されるデータを受信する受信部を備える。
【図面の簡単な説明】
【０００９】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、実施形態に係る無線インターフェイスのプロトコルスタック図である。
【図５】図５は、実施形態に係る無線フレームの構成図である。
【図６】図６は、実施形態に係る動作環境を説明するための図である。
【図７】図７は、実施形態に係る通信制御方法を説明するための図である。
【図８】図８は、実施形態に係る動作シーケンス図である。
【発明を実施するための形態】
【００１０】
［実施形態の概要］
実施形態に係る通信制御方法は、第１セルから第２セルへの干渉を抑圧するために前記第１セルにおいて使用規制サブフレームを設定する移動通信システムにおいて用いられる。前記通信制御方法は、前記使用規制サブフレームにおいて、前記第２セルと接続するユーザ端末に対して前記第１セル及び前記第２セルから協調送信を行う協調送信ステップを備える。
【００１１】
実施形態では、前記協調送信ステップにおいて、前記第１セルは、前記使用規制サブフレームのＰＤＣＣＨ（Ｐｈｙｓｉｃａｌ  Ｄｏｗｎｌｉｎｋ  Ｃｏｎｔｒｏｌ  ＣＨａｎｎｅｌ）リソースを使用することなく、前記使用規制サブフレームのＰＤＳＣＨ（Ｐｈｙｓｉｃａｌ  Ｄｏｗｎｌｉｎｋ  Ｓｈａｒｅｄ  ＣＨａｎｎｅｌ）リソースの少なくとも一部を使用して前記協調送信を行う。
【００１２】
実施形態では、前記協調送信ステップにおいて、前記第１セルは、前記使用規制サブフレームにおいて前記第２セルのＣＲＳ（Ｃｅｌｌ  ｓｐｅｃｉｆｉｃ  Ｒｅｆｅｒｅｎｃｅ  Ｓｉｇｎａｌ）リソースに対応するＰＤＳＣＨリソースの使用を避けながら前記協調送信を行う。
【００１３】
実施形態では、前記通信制御方法は、前記第１セルを管理する第１基地局から、前記第２セルを管理する第２基地局に対して、前記使用規制サブフレームを示す情報を送信するステップと、前記第２基地局から前記第１基地局に対して、前記協調送信を行うための協調送信情報を送信するステップと、をさらに備える。前記協調送信ステップにおいて、前記協調送信情報を受信した前記第１基地局は、前記協調送信情報に基づいて前記協調送信を行う。
【００１４】
実施形態では、前記協調送信情報は、前記協調送信を行うことを要求する情報である。
【００１５】
実施形態では、前記通信制御方法は、前記第２基地局が、前記使用規制サブフレームについて予め前記ユーザ端末のスケジューリングを行うステップをさらに備える。前記協調送信情報は、前記スケジューリングにより得られるスケジューリング情報を含む。
【００１６】
実施形態では、前記スケジューリング情報は、前記使用規制サブフレームにおいて前記ユーザ端末に割り当てるリソースブロック、前記使用規制サブフレームにおいて前記ユーザ端末に適用するトランスポートフォーマットのうち、少なくとも１つである。
【００１７】
実施形態では、前記協調送信情報は、前記使用規制サブフレームにおいて前記第２セルから前記ユーザ端末に対して送信が予定されているデータを含む。
【００１８】
実施形態では、前記協調送信は、前記第１セル及び前記第２セルから同一のデータを同一の時間・周波数リソースかつ同一のトランスポートフォーマットで送信するＪＴ（Ｊｏｉｎｔ  Ｔｒａｎｓｍｉｓｓｉｏｎ）である。
【００１９】
実施形態に係る基地局は、第１セルから第２セルへの干渉を抑圧するために前記第１セルにおいて使用規制サブフレームを設定する移動通信システムにおいて、少なくとも前記第１セルを管理する。前記基地局は、前記使用規制サブフレームにおいて、前記第２セルと接続するユーザ端末に対して前記第２セルとの協調送信を行うよう前記第１セルを制御する制御部を備える。
【００２０】
実施形態に係るユーザ端末は、第１セルから第２セルへの干渉を抑圧するために前記第１セルにおいて使用規制サブフレームを設定する移動通信システムにおいて、前記第２セルと接続する。前記ユーザ端末は、前記使用規制サブフレームにおいて、前記第１セル及び前記第２セルから協調送信により送信されるデータを受信する受信部を備える。
【００２１】
［実施形態］
以下において、ＬＴＥシステムを例に挙げて実施形態を説明する。
【００２２】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２３】
ＵＥ１００は、ユーザ端末に相当する。ＵＥ１００は、移動型の通信装置であり、セル（サービングセル）との無線通信を行う。ＵＥ１００の構成については後述する。
【００２４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２５】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２６】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。また、ＥＰＣ２０は、オペレータにより管理される保守監視サーバ（ＯＡＭ：Ｏｐｅｒａｔｉｏｎ  Ａｎｄ  Ｍａｉｎｔｅｎａｎｃｅ）４００を含む。
【００２７】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当する。プロセッサ１６０（及びメモリ１５０）は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００２８】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００２９】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示すＵＥ位置情報（経度・緯度など）を得るために、ＧＮＳＳ信号を受信して、受信した信号をプロセッサ１６０に出力する。バッテリ１４０は、ＵＥ１００の各ブロックに供給すべき電力を蓄える。
【００３０】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３１】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０は記憶部に相当する。プロセッサ２４０（及びメモリ２３０）は、制御部を構成する。
【００３２】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００３３】
ネットワークインターフェイス２２０は、Ｘ２インターフェイスを介して近隣ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３４】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３５】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００３７】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００３８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００３９】
ＰＤＣＰ層は、ヘッダ圧縮・伸張、及び暗号化・復号化を行う。
【００４０】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４１】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４２】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。複信方式としては、ＦＤＤ（Ｆｒｅｑｕｅｎｃｙ  Ｄｉｖｉｓｉｏｎ  Ｄｕｐｌｅｘ）又はＴＤＤ（Ｔｉｍｅ  Ｄｉｖｉｓｉｏｎ  Ｄｕｐｌｅｘ）が適用される。
【００４３】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメント（ＲＥ）が構成される。
【００４４】
ＵＥ１００に割り当てられる無線リソースのうち、周波数リソースはＲＢにより構成され、時間リソースはサブフレーム（又はスロット）により構成される。
【００４５】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。また、各サブフレームには、セル固有参照信号（ＣＲＳ：Ｃｅｌｌ  ｓｐｅｃｉｆｉｃ  Ｒｅｆｅｒｅｎｃｅ  Ｓｉｇｎａｌ）などの参照信号が分散して配置される。また、一部のサブフレームには、プライマリ同期信号（ＰＳＳ）及びセカンダリ同期信号（ＳＳＳ）が配置される。
【００４６】
各セルには、セルを識別するためのセル識別子が割り当てられている。セル識別子は、物理セル識別子（ＰＣＩ）及びセルグローバル識別子（ＥＣＧＩ）などである。
【００４７】
ＰＣＩは８ビットで構成され、主に物理層において利用される。仕様上定義されているＰＣＩは５０４個である。また、ＣＲＳの信号系列は５０４個用意され、当該信号系列はＰＣＩと対応付けられている。ＰＣＩは、１６８個のセルＩＤグループに分けられており、各セルＩＤグループには３つのセルＩＤが含まれる（１６８×３＝５０４）。
【００４８】
ＵＥ１００は、セルサーチの際に、セルから受信するＰＳＳ及びＳＳＳにより、当該セルのＰＣＩを特定する。具体的には、ＰＳＳの値はセルＩＤグループ中のセルＩＤ（３個）と対応付けられており、ＳＳＳの値はセルＩＤグループ（１６８個）と対応付けられている。ＰＳＳ及びＳＳＳの組み合わせによりＰＣＩが特定される。また、ＰＳＳ及びＳＳＳにより下りリンクのフレームレベルの同期がとられる。
【００４９】
ＵＥ１００は、ＰＳＳ及びＳＳＳの組み合わせによりセルのＰＣＩを特定した後、ＰＣＩに基づいてＣＲＳを受信する。ＣＲＳにより下りリンクのシンボル同期及び周波数同期がとられる。ＣＲＳは、６サブキャリア間隔で、スロット中の最初のＯＦＤＭシンボルと最後から３番目のＯＦＤＭシンボルとに設けられる。また、ＣＲＳは、ＰＣＩに応じて６つの周波数シフト量のグループ（以下、「ＣＲＳ周波数シフトグループ」という）に分けられている。ＣＲＳは、モビリティ制御のためのＵＥ測定（例えばＲＳＲＰ測定）等に利用される。
【００５０】
上りリンクにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００５１】
（実施形態に係る動作環境）
図６は、実施形態に係る動作環境を説明するための図である。実施形態では、異なるカバレッジサイズを有する複数のセルからなる動作環境（いわゆる、ＨｅｔＮｅｔ環境）を想定する。
【００５２】
図６に示すように、セル＃１は、カバレッジサイズが大きいセル（例えばマクロセル）である。ｅＮＢ２００−１は、セル＃１を管理する。セル＃２は、カバレッジサイズが小さいセル（例えばピコセル又はフェムトセル）である。ｅＮＢ２００−２は、セル＃２を管理する。実施形態において、セル＃１は第１セルに相当し、セル＃２は第２セルに相当する。セル＃２には、ＵＥ１００が接続している。
【００５３】
セル＃２は、セル＃１のカバレッジ内に設けられている。また、セル＃２は、セル＃１が属する周波数と同じ周波数（Ｃｏ−ｃｈａｎｎｅｌ）に属する。よって、セル＃２はセル＃１から強い下りリンク干渉を受ける。このような下りリンク干渉を抑圧するために、時間領域ＩＣＩＣが適用されている。時間領域ＩＣＩＣでは、セル＃１において一部の下りリンクサブフレームをＡＢＳとして設定することにより、セル＃２を救済する。実施形態においてＡＢＳは使用規制サブフレームに相当する。ＡＢＳは、いくつかの物理チャネルにおいて送信電力が規制（無送信を含む）される、及び／又は活動が規制されるサブフレームである。
【００５４】
セル＃１においてＡＢＳを設定することにより、セル＃２に接続するＵＥ１００は、ＡＢＳに対応する無線リソースにおいてセル＃１からの下りリンク干渉を抑圧できる。しかしながら、セル＃１に着目すると、ＡＢＳに対応する無線リソースの使用が規制されることにより、無線リソースの利用効率が低下する。
【００５５】
（実施形態に係る通信制御方法）
図７は、実施形態に係る通信制御方法を説明するための図である。
【００５６】
図７に示すように、実施形態に係る通信制御方法は、セル＃１からセル＃２への干渉を抑圧するためにセル＃１においてＡＢＳを設定する移動通信システムにおいて用いられる。通信制御方法は、ＡＢＳにおいて、セル＃２と接続するＵＥ１００に対して、セル＃１及びセル＃２から協調送信を行う協調送信ステップを備える。セル＃２と接続するＵＥ１００は、ＡＢＳにおいて、セル＃１及びセル＃２から協調送信により送信されるデータを受信する。これにより、ＡＢＳに対応する無線リソースを利用してＵＥ１００における受信品質を改善することができるため、ＡＢＳの有効活用を図ることができる。
【００５７】
実施形態では、協調送信ステップにおいて、セル＃１は、ＡＢＳのＰＤＣＣＨリソースを使用することなく、ＡＢＳのＰＤＳＣＨリソースの少なくとも一部を使用して協調送信を行う。言い換えると、セル＃１は、ＡＢＳのＰＤＣＣＨリソースの使用を規制しつつ、ＡＢＳのＰＤＳＣＨリソースの少なくとも一部の使用規制を解除して協調送信を行う。これにより、ＡＢＳのＰＤＣＣＨリソースの使用を規制する（使用しない）ことにより、ＡＢＳのＰＤＣＣＨリソースに対応するセル＃２のＰＤＣＣＨリソースの干渉を抑圧できる。
【００５８】
実施形態では、協調送信ステップにおいて、セル＃１は、ＡＢＳにおいてセル＃２のＣＲＳリソース（すなわち、ＣＲＳが配置されるリソースエレメント）に対応するＰＤＳＣＨリソースの使用を避けながら協調送信を行う。これにより、ＡＢＳにおいて協調送信を行う場合でも、セル＃２においてＣＲＳの干渉を抑圧できる。セル＃２のＣＲＳリソースは、セル＃２のＰＣＩから特定できる。或いは、セル＃２のＣＲＳ関連情報をセル＃２からセル＃１に通知することにより、セル＃２のＣＲＳリソースを特定してもよい。
【００５９】
実施形態では、通信制御方法は、セル＃１を管理するｅＮＢ２００−１から、セル＃２を管理するｅＮＢ２００−２に対して、ＡＢＳを示す情報を送信するステップと、ｅＮＢ２００−２からｅＮＢ２００−１に対して、協調送信を行うための協調送信情報を送信するステップと、をさらに備える。協調送信ステップにおいて、協調送信情報を受信したｅＮＢ２００−１は、協調送信情報に基づいて協調送信を行う。これにより、ｅＮＢ２００間で自律的に協調送信を行うことができる。
【００６０】
ＡＢＳを示す情報は、Ｘ２インターフェイス上で伝送される「ＡＢＳ  Ｉｎｆｏｒｍａｔｉｏｎ」に含まれる「ＡＢＳ  Ｐａｔｔｅｒｎ  Ｉｎｆｏ」である。協調送信情報は、Ｘ２インターフェイス上で伝送される。或いは、協調送信情報は、Ｓ１インターフェイス上で伝送されてもよい。
【００６１】
実施形態では、協調送信情報は、協調送信を行うことを要求する情報である。これにより、ｅＮＢ２００−２からｅＮＢ２００−１に対して協調送信の実施を要求できる。ｅＮＢ２００−２は、セル＃２に接続する複数のＵＥ１００の中に受信状態の劣悪なＵＥ１００が存在する場合に、協調送信の実施を要求してもよい。受信状態の劣悪なＵＥ１００とは、例えばセル＃２のカバレッジ端（すなわち、セルエッジ）に位置するＵＥ１００である。
【００６２】
実施形態では、通信制御方法は、ｅＮＢ２００−２が、ＡＢＳについて予めＵＥ１００のスケジューリングを行うステップをさらに備える。協調送信情報は、当該スケジューリング（プレスケジューリング）により得られるスケジューリング情報を含む。スケジューリング情報は、ＡＢＳにおいてＵＥ１００に割り当てるリソースブロック、ＡＢＳにおいてＵＥ１００に適用するトランスポートフォーマットのうち、少なくとも１つである。これにより、協調送信情報を受信したｅＮＢ２００−１は、セル＃２に合わせたリソースブロック及び／又はトランスポートフォーマットによりセル＃１から送信を行うことができる。ここで、「ＡＢＳについて予めＵＥ１００のスケジューリングを行う」とは、少なくとも当該ＡＢＳよりも前のタイミングにおいて、当該ＡＢＳに対応するリソースブロック及び／又はトランスポートフォーマットを決定することを意味する。当該スケジューリングは、Ｘ２インターフェイス（又はＳ１インターフェイス）の遅延時間を考慮して、当該ＡＢＳよりも数サブフレーム前のタイミングで行なってもよい。
【００６３】
実施形態では、協調送信情報は、ＡＢＳにおいてセル＃２からＵＥ１００に対して送信が予定されているデータ（具体的には、ユーザデータ）を含む。これにより、協調送信情報を受信したｅＮＢ２００−１は、セル＃２がＵＥ１００に送信するデータと同じデータをセル＃１から送信することができる。ここで、当該データは、上述したトランスポートフォーマットが適用されたデータであってもよい。この場合、上述したスケジューリング情報は、ＡＢＳにおいてＵＥ１００に適用するトランスポートフォーマットを含まなくてもよい。
【００６４】
実施形態では、協調送信は、セル＃１及びセル＃２から同一のデータを同一の時間・周波数リソースかつ同一のトランスポートフォーマットで送信するＪＴ（Ｊｏｉｎｔ  Ｔｒａｎｓｍｉｓｓｉｏｎ）である。これにより、ＵＥ１００においてデータの合成による利得を得ることができる。ここで、「同一の時間・周波数リソース」とは、同一のサブフレームかつ同一のリソースブロックである。
【００６５】
（実施形態に係る動作シーケンス）
図８は、実施形態に係る動作シーケンス図である。図８において、ＵＥ１００は、セル＃２との接続を確立した状態にある。
【００６６】
図８に示すように、ステップＳ１において、ｅＮＢ２００−１は、セル＃１において設定するＡＢＳを示す情報をｅＮＢ２００−２に送信する。当該情報を受信したｅＮＢ２００−２は、当該情報に基づいて、セル＃１において設定されるＡＢＳを特定する。ステップＳ１に先立ち、セル＃１におけるＡＢＳの設定をｅＮＢ２００−２からｅＮＢ２００−１に対して要求してもよい。
【００６７】
ステップＳ２において、ＵＥ１００は、チャネル状態情報（ＣＳＩ）及び測定報告をセル＃２に送信する。具体的には、ＵＥ１００は、セル＃２から受信するＣＲＳ又はＣＳＩ−ＲＳに基づいて、セル＃２との間のチャネル状態に関するＣＳＩを生成し、ＣＳＩをセル＃２にフィードバックする。また、ＵＥ１００は、サービングセル（セル＃２）及び近隣セル（セル＃１）のそれぞれから受信するＣＲＳに基づいて、各セルについての受信状態に関する測定報告を生成し、測定報告をセル＃２に送信する。
【００６８】
ステップＳ３において、ｅＮＢ２００−２は、ＵＥ１００からのＣＳＩに基づいて、ＡＢＳについて予めＵＥ１００のスケジューリング（すなわち、プレスケジューリング）を行う。上述したように、プレスケジューリングにより、ＡＢＳにおいてＵＥ１００に割り当てるリソースブロック、ＡＢＳにおいてＵＥ１００に適用するトランスポートフォーマット等を決定する。
【００６９】
ステップＳ４において、ｅＮＢ２００−２は、セル＃１から協調送信を行うことを要求するデータ送信要求（協調送信情報）をｅＮＢ２００−１に送信する。ステップＳ４は、ステップＳ２又はステップＳ３の前に行なわれてもよい。
【００７０】
ステップＳ５において、ｅＮＢ２００−２は、プレスケジューリングにより得られるスケジューリング情報（協調送信情報）をｅＮＢ２００−１に送信する。
【００７１】
ステップＳ６において、ｅＮＢ２００−２は、ＡＢＳにおいてセル＃２からＵＥ１００に対して送信が予定されているデータ（協調送信情報）をｅＮＢ２００−１に送信する。これにより、ＡＢＳにおいてセル＃２からＵＥ１００に対して送信が予定されているデータがｅＮＢ２００−１及びｅＮＢ２００−２で共有される。
【００７２】
ステップＳ７において、ｅＮＢ２００−１は、ｅＮＢ２００−２からの協調送信情報に基づいて、ＡＢＳにおける協調送信を行うか否かを判断する。ステップＳ７は、ステップＳ４の直後に行なわれてもよい。ここでは、ＡＢＳにおける協調送信を行うと判断したと仮定して説明を進める。
【００７３】
ステップＳ８において、ｅＮＢ２００−１は、協調送信を行うことを示す応答をｅＮＢ２００−２に送信する。また、ｅＮＢ２００−１は、セル＃１の近隣のセルがセル＃２以外にも存在する場合で、セル＃２以外の近隣セルに対してＡＢＳを通知している場合には、ＡＢＳにおいて送信を行うことを示す通知を当該近隣セルに送信してもよい。当該通知は、送信を行うリソースブロックを示す情報を含む。
【００７４】
ステップＳ９において、ｅＮＢ２００−２（セル＃２）は、セル＃１が設定するＡＢＳにおいて、データをＵＥ１００に送信する。また、ｅＮＢ２００−１（セル＃１）は、当該ＡＢＳにおいて、協調送信情報に基づく協調送信により、データをＵＥ１００に送信する。
【００７５】
（実施形態のまとめ）
実施形態に係る通信制御方法は、セル＃１からセル＃２への干渉を抑圧するためにセル＃１においてＡＢＳを設定する移動通信システムにおいて用いられる。通信制御方法は、ＡＢＳにおいて、セル＃２と接続するＵＥ１００に対してセル＃１及びセル＃２から協調送信を行う協調送信ステップを備える。これにより、ＡＢＳに対応する無線リソースを利用してＵＥ１００における受信品質を改善することができるため、ＡＢＳの有効活用を図ることができる。
【００７６】
［変更例］
上述した実施形態では、協調送信ステップにおいて、ｅＮＢ２００−１（セル＃１）は、ＡＢＳにおいてセル＃２のＣＲＳリソースに対応するＰＤＳＣＨリソースの使用を避けながら協調送信を行っていた。しかしながら、そのような方法に代えて次のような方法としてもよい。具体的には、ｅＮＢ２００−１（セル＃１）は、ＡＢＳにおいて、セル＃２のＣＲＳリソースと同じリソースエレメントで、セル＃２のＣＲＳと同じ系列を有するＣＲＳを送信する。これにより、ＡＢＳにおいて協調送信を行う場合でも、セル＃２においてＣＲＳの干渉を抑圧できる。
【００７７】
［その他の実施形態］
上述した実施形態では、協調送信の一例としてＪＴ（Ｊｏｉｎｔ  Ｔｒａｎｓｍｉｓｓｉｏｎ）を説明した。しかしながら、協調送信は、ＪＴに限らず、ＤＰＳ（Ｄｙｎａｍｉｃ  Ｐｏｉｎｔ  Ｓｅｌｅｃｔｉｏｎ）又はＣＳ（Ｃｏｏｒｄｉｎａｔｅｄ  Ｓｃｈｅｄｕｌｉｎｇ）であってもよい。ＤＰＳ及びＣＳでは、セル＃１及びセル＃２が、同一の無線リソースを確保して、ＵＥ１００に対して選択的に送信を行う。
【００７８】
また、協調送信は、ＪＴ、ＤＰＳ、ＣＳに限らず、ＣＢ（Ｃｏｏｒｄｉｎａｔｅｄ  Ｂｅａｍｆｏｒｍｉｎｇ）であってもよい。ＣＢは、複数のセルが協調してビームフォーミング／ヌルステアリングを行う。例えば、セル＃１は、ＡＢＳにおいて、セル＃１及び＃２以外のセルに接続するＵＥ１００に対してＪＴによる協調送信を行いながら、セル＃２に接続するＵＥ１００に対してヌルステアリングを行う。
【００７９】
上述した実施形態では、ＨｅｔＮｅｔに対して本発明を適用する一例を説明したが、ＨｅｔＮｅｔに限らず、同種のセル（同じカバレッジサイズのセル）からなるネットワークに対して本発明を適用してもよい。
【００８０】
また、上述した実施形態では、異なるｅＮＢ２００によりセル＃１及びセル＃２が管理されていたが、異なるｅＮＢ２００に限らず、同一のｅＮＢ２００によりセル＃１及びセル＃２が管理されてもよい。
【００８１】
上述した実施形態では、移動通信システムの一例としてＬＴＥシステムを説明したが、ＬＴＥシステムに限らず、ＬＴＥシステム以外のシステムに本発明を適用してもよい。
【００８２】
なお、日本国特許出願第２０１３−２２４７７４号（２０１３年１０月２９日出願）の全内容が、参照により、本願明細書に組み込まれている。
【産業上の利用可能性】
【００８３】
本発明によれば、使用規制サブフレーム（ＡＢＳ）の有効活用を図ることができる。
【図１】
0006475632.tif 000002
【図２】
0006475632.tif 000003
【図３】
0006475632.tif 000004
【図４】
0006475632.tif 000005
【図５】
0006475632.tif 000006
【図６】
0006475632.tif 000007
【図７】
0006475632.tif 000008
【図８】
0006475632.tif 000009